(57)【要約】【課題】ベッド上で生活する人が便器に行う排便動作は、寝た状態では行いにくく、通常の排便の姿勢が要求されるものであり、それには利用者は排便に際しては起き上がることが要求されるという問題がある。【解決手段】ベッド本体の、利用者の背中が当たる部分にベッド本体とは別の独立したフレーム構造を設けてベッド本体から移動可能でしかもそのマットもしくはマットの支持部の頭部側が起立可能となる移動可能部とし、また、両脚の膝の関節の裏側が当たるバー状の上下可動部を設け、この上下可動部を前記移動可能部に接続して共に移動可能とし、さらに、便器を載せた移動台をベッド下に配置し、この移動台を前記移動可能部と共に移動可能としたことを特徴とする。【選択図】        図１
2006000233.tif 000002
【特許請求の範囲】
【請求項１】
ベッド本体の、利用者の背中が当たる部分にベッド本体とは別の独立したフレーム構造を設けてベッド本体から移動可能でしかもそのマットもしくはマットの支持部の頭部側が起立可能となる移動可能部とし、また、両脚の膝の関節の裏側が当たるバー状の上下可動部を設け、この上下可動部を前記移動可能部に接続して共に移動可能とし、さらに、便器を載せた移動台をベッド下に配置し、この移動台を前記移動可能部と共に移動可能としたことを特徴とする介護用ベッド。
【発明の詳細な説明】
【技術分野】
【０００１】
本発明は、要介護老人、病人等が用いることができるトイレ付きの介護用のベッドに関する。
【背景技術】
【０００２】
従来のトイレ付きのベッドは、ベッドの中程に孔を設け、その孔の下に便器を設置するようにした構造となっている（例えば、特許文献１、特許文献２参照。）。
【特許文献１】特開平１０−１３７３１４号公報
【特許文献２】実用新案登録第３０８２１９５号
【発明の開示】
【発明が解決しようとする課題】
【０００３】
しかしながら、便器に行う排便動作は、寝たままの状態では行うことができず、どうしても通常の排便の姿勢が要求されるものである。それには寝たままの利用者は排便に際しては起き上がらなければならないという問題がある。
本発明は、上記の問題点を解決するためになされたもので、起きることができない利用者でも排便姿勢のとれるようにする手段を提供することを目的とする。
【課題を解決するための手段】
【０００４】
そこで本発明は、ベッド本体の、利用者の背中が当たる部分にベッド本体とは別の独立したフレーム構造を設けてベッド本体から幅方向に移動可能でしかもそのマットもしくはマットの支持部の頭部側が起立可能となる移動可能部とし、また、両脚の膝の関節の裏側が当たるバー状の上下可動部を設け、この上下可動部を前記移動可能部に接続して共に移動可能とし、さらに、便器を載せた移動台をベッド下に配置し、この移動台を前記移動可能部と共に移動可能としたことを特徴とする。
【発明の効果】
【０００５】
これにより、本発明は、ベッド上で生活をしている利用者であっても、自分一人で随時に排便、排尿が可能となり、しかも排便時の自然な姿勢で用をたすことができるという効果が得られる。
【発明を実施するための最良の形態】
【０００６】
以下に、図面を参照して本発明の実施例を説明する。
図１、図７は本発明の実施例を示す説明図である。
図において、１はベッド本体であり、略腰から首（頭を含めてよい。）までの背中が当たる所定幅の部分の1側のフレーム部２を除いた部分の所定の長さ（本実施例ではフレーム部２を除いた略全幅としてある。）を移動可能部３とし、さらに、両脚の膝の関節の裏側が当たる部分にバー状の上下可動部４が設けてある。なお、このベッド本体１は、従来のどのような形式のベッド構造でもよく、マット面が全面一体の通常の固定構造、いくつかの個所が曲折可能な曲折構造等任意の構造である。
【０００７】
前記移動可能部３は、前記ベッド本体１とは別の独立したフレーム構造とし、前記ベッド本体１のフレーム部２の反対側の幅方向に移動可能となるように、下端にキャスター５を取り付け、さらに、自動で移動を可能とするために、ベッド本体１に取り付けたモータ６によって回転するねじ軸７に螺合するナット８を移動可能部３に取り付けてある。なお、このねじ軸７とナット８の関係を逆にしてナットを回転させてもよい。なお、この駆動構造はこのようなねじ軸７とナット８とモータによる構造に限るものではなく、他の駆動構造でもよく、さらに移動可能な駆動構造であれば電気駆動の構造でなく、例えばシリンダ構造でもよい。なお、この説明ではフレーム部２が一方の側に残してあるが必ずしも残してなくてもよい。
【０００８】
また、この移動可能部３上のマットは頭側の端部が上昇するように腰側がフレームに回動可能にマット自体もしくはマットの支持材３１（以下、マット３１という。）は支持されており、これも自動的に回動できるようにモータによって回動するリンク機構や図示する如くシリンダ機構等の駆動機構によって支持されている。
さらに、この移動可能部３のマット３１の両側は肘掛部９となるために回動可能になっている。さらにこれを自動的に回動できるようにするには、図示しないがそれぞれモータによって回動するリンク機構やシリンダ機構等の回動機構によって支持すればよい。
【０００９】
前記上下可動部４は軸１０の周囲の少なくとも上部をクッション材１１によって覆ったような構造であって、ベッド本体１のマット１２に設けた溝状の収納部１３に納まるようになっている。なお、上下可動部１４を扁平にした構造とすることも可能であり、その場合には、マット上に載置しても大して出っ張らず邪魔にならないために溝状の収納部１３の形成は必要ではない。
【００１０】
この上下可動部４の軸１０の一端は、前記移動可能部３に取り付けたモータやシリンダ等の駆動機構１４によって駆動する腕１５の先端に回動可能に支持されている。したがって、この上下可動部４は移動可能部３の移動に伴って一体に移動することになる。
これによって、駆動機構１４を駆動することによって、上下可動部４は、腕１５の回動によって、腕１５の回転支点を中心にした円弧運動による上下動を行うことになり、駆動機構１４の駆動を停止することによって所望の位置（角度）で上下可動部4を止めることができる。
【００１１】
１６は便器であり、ポータブル型であり、洗浄装置付き形式のもの、通常形式のもの、排泄物封入式のもの等従来から存在するどのような形式のものでもよい。
１７はこの便器１６を載せた移動台であり、各脚にはキャスター１８が付いていて移動可能になっており、さらに、前記移動可能部３に対向する側の所定個所に電磁石１９を設けてあり、前記移動可能部３のこの電磁石１９に対向する個所にも電磁石２０が付けてある。
【００１２】
この電磁石２０に通電すると、対向する二つの電磁石１９、２０が接着し、この移動台１７は移動可能部３の移動と一体になって移動することができる。通電しないときには、図１に示す如く、手動によって単独で移動させることができる。
前記各移動、各回動の動作および電磁石への通電等の操作は，図示しない手元に導いてある操作部のボタンを操作することによって利用者が作動させることができるようになっている。
【００１３】
なお、上記各駆動装置において、シリンダ構造によると、空圧や油圧の配管が必要となるために、モータ等による電気系の駆動装置のほうが一般的となる。
以下に上記の構成の作用を説明する。
通常時は、図１に示す如く一般のベッドと同様な扁平な状態であり、通常状態で利用者は寝ることができる状態である。
【００１４】
そこで、利用者が排便、排尿をするときには、まず、利用者は、上下可動部４を操作部のボタンの操作によって上昇させて膝を曲げて下半身を浮かせるような状態にまで上げ、腰から上の背中を移動可能部３上に載せた位置にする。
そこで、操作部の電磁石２０ＯＮのボタンを操作して電磁石１９、２０同士を接着させて移動可能部３と移動台１７とを一体に移動できるようにする（この操作が前記操作より先でもよい。）。
【００１５】
つぎに、移動可能部３のマット３１両側の肘掛部９を回動させて肘掛とする。このとき、回動を自動的に行うようにできる構造の場合は、操作部のボタンによって肘掛部９を回動転操作する。
そこで、移動可動部３のマット３１を操作部のボタンによって回動させて利用者の背中を多少起こすように持ち上げてベッド本体１から身体（頭部）を離した状態にする。これによって、身体は移動可能部３のマット３１、上下可動部４、肘掛部９によって支えられた状態で移動可能となる（図３）。
【００１６】
この状態で、移動可能部３を操作部のボタンによってモータ６を駆動して図４に示す如く、ベッド本体１の1側に移動させる。これに伴って便器１６を載せた移動台１７も共に移動されてくる。
この際、臀部が丁度移動台１７に載せた便器１６の上に位置するように移動可能部３に対して便器１６が配置されている。そこで、操作部のボタンにより、上下可動部４を下げて脚を下ろして足を着地させる。また、それと同時もしくは前後して移動可動部３のマット３１を操作部のボタンによって回動させて頭部側を起こすことにより身体は起き上がり、臀部は便器１６の上に載り、背中は起立した移動可能部３のマット３１によって支えられ、両腕は肘掛部９に支えられる。これによって排便や排尿を安定した姿勢で行うことができる（図５）。
【００１７】
排便や排尿が終了すると、操作部のボタンにより、上下可動部４を上げて膝の裏側に当て、さらに上げて前記同様の上げた状態にする。また、それと同時もしくは前後して移動可動部３のマット３１を操作部のボタンによって回動させて頭部側を倒すことにより背中は移動可能部３のマット３１と共に前記同様のあお向けの状態に戻す。これによって、身体は移動可能部３のマット３１、上下可動部４、肘掛部９によって支えられた状態で移動可能となる（図６）。
【００１８】
そこで、移動可能部３を操作部のボタンによってモータ６を駆動して図６に示す如く、ベッド本体１に移動させる。これによって移動台１７も共に移動されてベッド本体１の下に納まる。
ベッド本体１の上に身体がくると、操作部のボタンによって上下可動部４を下げて収納部１３に納めることにより、脚をベッド上に下ろすことができる。また、それと同時もしくは前後して移動可動部３のマット３１を操作部のボタンによって回動させて平らな状態に戻し、さらに肘掛部９も戻すことによって身体はベッド上に寝た状態に戻すことができ、これによって終了する。
【００１９】
また、操作部の電磁石２０用のボタンをＯＦＦにしておくことにより、移動台１７は人が自由にベッド本体１の下に出し入れすることができ、それによって便器１６内の汚物を処理したり利用者が任意に使用したりすることができる。
【図面の簡単な説明】
【００２０】
【図１】実施例を示す説明図
【図２】作動状態を示す説明図
【図３】作動状態を示す説明図
【図４】作動状態を示す説明図
【図５】作動状態を示す説明図
【図６】作動状態を示す説明図
【図７】要部構成説明図
【符号の説明】
【００２１】
１  ベッド本体
２  フレーム部
３  移動可能部
４  上下可動部
５  キャスター
６  モータ
７  ねじ軸
８  ナット
９  肘掛部
１０  軸
１１  クッション材
１２  マット
１３  収納部
１４  駆動機構
１５  腕
１６  便器
１７  移動台
１８  キャスター
１９  電磁石
２０  電磁石
【図１】
2006000233.tif 000003
【図２】
2006000233.tif 000004
【図３】
2006000233.tif 000005
【図４】
2006000233.tif 000006
【図５】
2006000233.tif 000007
【図６】
2006000233.tif 000008
【図７】
2006000233.tif 000009